(57)【要約】  時計ムーブメント用音楽モジュールであって、前記モジュールが、バレル（１１）と、ピン（１２）を有する少なくとも１つの部品（５）と、いくつかの歯を有するコーム（１３）と、調整システム（７、８、９、１０）と、制御装置（１６、１７、２１）とを備える。この部品（５）又はそれぞれの部品（５）は、少なくとも１つのピニオン（６）を介してバレル（１１）によって駆動されるのこぎり状ディスクである。少なくとも１つの面に前記ピン（１２）を有する、この又はそれぞれののこぎり状ディスク（５）は、曲を再生するためにピン（１２）がコーム（１３）の歯に作用するよう、コーム（１３）の上又はこの下に位置決めされ得る。制御装置（１６、１７、２１）は、曲を開始するために、１つ又は複数ののこぎり状ディスク（５）の回転を起動するよう設計される。調整システム（７、８、９、１０）は、１つ又は複数ののこぎり状ディスク（５）の一定の回転を維持する。【選択図】図１
2008541140.tif 000002
【特許請求の範囲】
【請求項１】
時計ムーブメント用音楽モジュールであって、
前記モジュールが、バレル（１１）と、ピン（１２）を有する少なくとも１つの部品（５）と、いくつかの歯を有するコーム（１３）と、調整システム（７、８、９、１０）と、制御装置（１６、１７、２１）とを備え、
前記モジュールが、前記部品（５）又はそれぞれの部品（５）が、少なくとも１つのピニオン（６）を介して前記バレル（１１）によって駆動されるのこぎり状ディスクであり、
少なくとも１つの面に前記ピン（１２）を有する前記又はそれぞれののこぎり状ディスク（５）が、曲を再生するために前記ピン（１２）が前記コーム（１３）の前記歯に作用するよう、前記コーム（１３）の上又は前記コーム（１３）の下に位置決めでき、
前記制御装置（１６、１７、２１）が、前記曲を開始するために前記１つ又は複数ののこぎり状ディスク（５）の回転を起動するよう設計され、
前記調整システム（７、８、９、１０）が、前記１つ又は複数ののこぎり状ディスク（５）の一定の回転を維持することを特徴とする前記モジュール。
【請求項２】
前記調整システム（７、８、９、１０）が、慣性はずみ車（１０）と共に動く歯車列（７、８、９）から構成されることを特徴とする請求項１に記載の音楽モジュール。
【請求項３】
いくつかののこぎり状ディスク（５）がその周囲に配置された中心軸（３）を有する回転ラック（１）を備え、
それぞれののこぎり状ディスク（５）が、その下面に前記ピン（１２）を有し、
前記ピニオン（６）が、前記制御装置（１６、１７、２１）が操作されると直ぐに、一方では前記のこぎり状ディスク（５）を同時に、他方では前記歯車列（７、８、９）の前記第１の機構（７）を駆動し得るような形の、前記回転ラック（１）の中心軸上の動きばめであり、
歯部（１４ａ）を有する回転部材（１４）が、前記コーム（１３）の上に前記のこぎり状ディスク（５）を次々に位置決めするために、前記回転ラック（１）を枢転するよう前記第１の機構（７）に固定されることを特徴とする請求項２に記載の音楽モジュール。
【請求項４】
前記第１の機構（７）のピッチ円が、前記のこぎり状ディスク（５）のピッチ円とほぼ同じであり、したがって、前記コーム（１３）の上に位置決めされた前記のこぎり状ディスク（５）が完全に１回転した後にのみ、前記歯部（１４ａ）が前記回転ラック（１）を回転させることを特徴とする請求項３に記載の音楽モジュール。
【請求項５】
前記のこぎり状ディスク（５）の区域（２３）には、定位置へと動く間に前記ピン（１２）が前記コームの前記歯に当たることなく、それぞれののこぎり状ディスク（５）を次々に前記コーム（１３）の上に位置決めできるようにするためのピン（１２）がないことを特徴とする請求項３又は４に記載の音楽モジュール。
【請求項６】
前記制御装置（１６、１７、２１）が、一方では前記回転ラック（１）を固締するための固締レバー（１６）を、他方では前記はずみ車（１０）を固締するための止めレバー（１７）を備え、
これらの２つのレバー（１６、１７）が、前記回転ラック（１）及び前記はずみ車（１０）を解放するために、したがって、前記歯車列（７、８、９）及び前記バレル（１１）によって直ちに駆動される前記中心のピニオン（６）を解除するために、ロッカー（２１）により動作可能であり、
前記ピニオン（６）が、前記のこぎり状ディスク（５）を同時に駆動することを特徴とする請求項３〜５のいずれか一項に記載の音楽モジュール。
【請求項７】
前記回転部材（１４）が、環状の溝（１８）を有し、
その溝（１８）の内壁が、前記固締レバー（１６）上の第１の止めピン（１６ａ）を通じて前記回転ラック（１）を固締するための突出部（１９）を有し、
固締レバー（１６）が、音楽ディスク（５）が再生されている間、前記回転ラック（１）を安定した位置に保つよう設計されたレバー（２２）を操作することができ、
前記溝（１８）の外壁が、刻み目（２０）を有し、
この中に、止めレバー（１７）上の第２の止めピン（１７ａ）が位置決めされ、
前記制御システム（１６、１７、２１）の前記ロッカー（２１）により、前記システムが操作されると、一方では、前記レバー（２２）を外すよう、したがって前記回転ラック（１）を解放するよう、前記第１のピン（１６ａ）を前記突出部（１９）から外し、他方では、前記はずみ車（１０）を解放するよう前記第２のピン（１７ａ）を前記刻み目（２０）から外すことができ、
前記歯部（１４ａ）が完全に１回転し、約３６０°／Ｎ（ここで、Ｎとは、前記回転ラック（１）によって運ばれるのこぎり状ディスク（５）の数である）の角度で前記回転ラック（１）を回転させた後、前記止めピン（１６ａ、１７ａ）が戻って、それぞれ、前記突出部（１９）と接触し、前記刻み目（２０）内に入ると直ぐに、前記音楽モジュールが停止することを特徴とする請求項６に記載の音楽モジュール。
【請求項８】
前記回転ラック（１）が、約９０°互いに分離され、かつ中心軸（３）の周囲に配置された４つのアーム（２）を備え、
それぞれのアーム（２）が、その端部近くに、前記のこぎり状ディスク（５）の１つを備え、
ゼネバ機構（１５）が前記回転部材（１４）の前記歯部（１４ａ）によって駆動されると、前記ゼネバ機構（１５）が、前記回転ラックを約９０°回転させるために、前記中心軸（３）に固定されることを特徴とする請求項３〜７のいずれか一項に記載の音楽モジュール。
【請求項９】
請求項１〜８のいずれか一項に記載の音楽モジュールを備えた時計。
【請求項１０】
前記音楽モジュールが、ロッカー（２５）に取り付けられた機構（２４）を備え、
巻き取りボタンが時計回りに回転し、前記機構（２４）が第１の巻き取りピニオン（２７）及び中間ピニオン（２８）を介して駆動されると、前記機構（２４）が、前記バレル（１１）のつめ車（２６）を駆動するよう設計されることを特徴とする、前記巻き取りボタンを有する請求項９に記載の時計。
【請求項１１】
前記巻き取りボタンが逆時計回りに回転すると、第２の巻き取りピニオン（２９）が、時計ムーブメントを巻き取るよう設計されることを特徴とする請求項１０に記載の時計。
【発明の詳細な説明】
【技術分野】
【０００１】
本発明は、時計製作法、より詳細には、時計ムーブメント用音楽モジュール、特に腕時計、及び音楽モジュールを備えた時計に関する。
【背景技術】
【０００２】
先行技術には、時計ムーブメントに適応された音楽モジュールを備えた時計が既に含まれている。ＣＡ９６６７０５号明細書には、オルゴールの基本要素、即ち、バレル、シリンダ、コーム、及び速度調整器を備えた音楽モジュールが開示されている。これらの要素は、時計ケース内に統合され得るように、できるだけコンパクトになるよう修正されている。
【０００３】
このモジュールの主な課題は、１曲しか再生し得ないことである。必要な空間量及びシリンダの形状寸法により、１つ以上のシリンダを設置することができない（少なくとも今の段階では）。
【発明の開示】
【発明が解決しようとする課題】
【０００４】
本発明の目的は、ピンが設けられた、少なくとも１つののこぎり状音楽ディスクを備えた音楽モジュールを提供することであり、前記ディスクはシリンダと取り替えられるので、少しの空間しか必要とせず、このため、音楽モジュールは、所望の場合には、いくつかのディスクを備えることができ、次いで、いくつかのディスクは、数個の曲が再生され得るよう、コームの上に次々に位置決めされ得る。
【課題を解決するための手段】
【０００５】
本発明によれば、上記目的は、時計ムーブメント用音楽モジュールによって達成され、前記モジュールは、バレルと、ピンを有する少なくとも１つの部品と、いくつかの歯を有するコームと、調整システムと、制御装置とを備える。この部品又はそれぞれの部品は、少なくとも１つのピニオンを介してバレルによって駆動されるのこぎり状ディスクである。少なくとも１つの面に前記ピンを有する、この又はそれぞれののこぎり状ディスクは、曲を再生するためにピンがコームの歯に作用するよう、コームの上に又はこの下に位置決めされ得る。制御装置は、曲を開始するために、１つ又は複数ののこぎり状ディスクの回転を起動するよう設計される。調整システムは、１つ又は複数ののこぎり状ディスクの一定の回転を維持する。
【０００６】
概略図を参照しながら、制限的なものではないあくまでも例示として記載されている実施形態についての記述より、本発明の特徴がより明らかとなろう。
【発明を実施するための最良の形態】
【０００７】
本発明の主要な実施形態においては、音楽モジュールは、中心軸（３）の周囲に配置された４つのアーム（２）を有する回転ラック（１）を備える。その端部近くに、それぞれのアーム（２）が、４つののこぎり状音楽ディスク（５）の１つが取り付けられた軸（４）を有する。中心のピニオン（６）が、一方では４つの音楽ディスク（５）を同時に、他方では慣性はずみ車（１０）と共に動く歯車列（７、８、９）の第１の機構（７）を駆動できるようにするために、回転ラック（１）の中心軸（３）に、遊びを有して取り付けられる。歯車列（７、８、９）及び慣性はずみ車（１０）は、音楽モジュール（図２）の調整システムを構成する。中心のピニオン（６）は、バレル（１１）により駆動可能である。
【０００８】
それぞれの音楽ディスク（５）は、４つのディスク（５）がコームの上に次々に位置決めされると、コーム（１３）の歯を持ち上げるよう、その裏面にピン（１２）を有する。音楽ディスク（５）のそれぞれがそれ自身の曲を有するよう、ピン（１２）の位置はディスク（５）によって変わる。
【０００９】
音楽モジュールは、ディスク（５）の回転及び９０°の回転ラック（１）の回転の両方を起動するための制御装置を備える。このため、歯部（１４ａ）を有する回転部材（１４）が、歯車列（７、８、９）の第１の機構（７）に固定され、歯部（１４ａ）は、回転ラック（１）の中心軸（３）に取り付けられたゼネバ機構（１５）を駆動するよう配置される。音楽ディスク（５）のピッチ円は、第１の機構（７）のピッチ円と同一であり、したがって、コーム（１３）の上に位置決めされたディスク（５）が１回転終了して、曲が終わった場合にのみ、回転ラック（１）の回転が歯部（１４ａ）によって起動される。
【００１０】
回転部材（１４）は、環状の溝（１８）を有し、この内壁に、固締レバー（１６）上の第１の止めピン（１６ａ）を通じて回転ラック（２）を固締する突出部（１９）がある。固締レバー（１６）は、音楽ディスク（５）が再生されている間、回転ラック（１）を安定した位置に保つのに使用されるレバー（２２）（図１）を操作することができる。溝（１８）の外壁は、刻み目（２０）を有し、この中に、音楽モジュールを静止状態に保つために慣性はずみ車（１０）を止めるよう設計された止めレバー（１７）上の第２の止めピン（１７ａ）が落ちる。
【００１１】
これらの２つのレバー（１６、１７）は、以下に記述するように、回転ラック（１）及びはずみ車（１０）をそれぞれ解放するために、ロッカー（２１）により動作可能である。
【００１２】
ロッカー（２１）を操作することにより、一方では固締レバー（１６）の第１の止めピン（１６ａ）が突出部（１９）から外れ、つまり、前記レバー（１６）が回転ラック（１）を解除するようレバー（２２）を操作し、他方でははずみ車（１０）を解放するよう第２のピン（１７ａ）が刻み目（２０）から外れ、これにより、歯車列（７、８、９）、及び直ちにバレル（１１）によって駆動される中心のピニオン（６）が開放される。
【００１３】
制御装置（１６、１７、２１）が操作されると、以下の一連の動きが起動される。即ち、
ロッカー（２１）が、第１の止めピン（１６ａ）を突出部（１９）から外すよう、ピン（２ｌａ）を通じて固締レバー（１６）を操作し、
レバー（２２）が、固締レバー（１６）によって操作され、これにより、回転ラック（１）が解除され、
ロッカー（２１）が、第２の止めピン（１７ａ）を刻み目（２０）から外すよう止めレバー（１７）を操作し、これにより、はずみ車（１０）が解放され、
歯車列（７、８、９）が、直ちに解放され、中心のピニオン（６）によって駆動され、中心のピニオン（６）がバレル（１１）によって駆動され、前記ピニオン（６）がまた、４つの音楽ディスク（５）を同時に駆動し、
回転部材（１４）が回転し、その歯部（１４ａ）を通じて、ゼネバ機構（１５）を駆動し、回転ラック（１）を９０°回転させ、
中心のピニオン（６）によってまだ駆動されているディスク（５）の１つが、コーム（１３）の上に位置決めされ、曲が再生されるようその歯を操作し、
第２の止めピン（１７ａ）が、音楽ディスク（５）の１つが再生されている間、止めレバー（１７）がはずみ車（１０）から外れているよう、カムとして働く溝（１８）の外壁の周囲を走行し、
音楽ディスク（５）が１回転終了すると直ぐに、第２の止めピン（１７ａ）が、再び刻み目（２０）内に落ち、止めレバー（１７）を通じて慣性はずみ車（１０）を停止し、固締レバー（１６）の第１のピン（１６ａ）が、再び動いて、突出部（１９）と接触し、
モジュールが停止する。
【００１４】
音楽モジュールは、制御ボタン（図示せず）がロッカー（２１）を操作すると、音楽ディスク（５）を再生する。
【００１５】
音楽ディスク（５）の特徴は、定位置へと動く間にピン（１２）がコームの歯に当たることなく、それぞれをコーム（１３）の上に次々に位置決めできるようにするために、ピン（１２）のない区域（２３）を有することである。
【００１６】
音楽モジュールはまた、ロッカー（２５）に取り付けられた機構（２４）（図２）を有し、前記機構（２４）は、時計巻き取りボタン（図示せず）が時計回りに回転すると、バレル（１１）のつめ車（２６）を駆動するよう設計される。次いで、機構（２４）は、第１の巻き取りピニオン（２７）及び中間ピニオン（２８）を介して駆動される。
【００１７】
第２の巻き取りピニオン（２９）は、巻き取りボタンが逆時計回りに回転すると、時計ムーブメントを巻き取るよう設計される。
【００１８】
時計は、巻き取りボタンを回転させ、かつ同時に時間設定ボタン（図示せず）を押すことにより、正しい時間に設定される。１組のロッカー（３０、３１、３２、３３、２５、３５）（図３）を通じて作用する、このボタンは、音楽モジュールが巻き取られるのを防止するようロッカー（２５）を外し、時間を設定するために時計ムーブメントに作用するロッカー（３５）を操作する。
【００１９】
言うまでもないことであるが、本発明は、一例として上述した実施形態に限定されるものではなく、すべての代替実施形態を包含するものである。一例として、音楽モジュールは、ミニッツリピーターに適応され得る。
【図面の簡単な説明】
【００２０】
【図１】それぞれのアームの端部に取り付けられた、ピンで留められた音楽ディスクと共に、４つのアームを有する回転ラックを備えた音楽モジュールを示す平面図である。
【図２】音楽モジュールを示す中間の底面図である。
【図３】音楽モジュールを示す底面図である。
【図１】
2008541140.tif 000003
【図２】
2008541140.tif 000004
【図３】
2008541140.tif 000005
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
時計ムーブメント用音楽モジュールであって、
前記モジュールが、バレル（１１）と、ピン（１２）を有する回転ディスク（５）と、前記ディスク（５）が回転すると、前記ディスク（５）の前記ピン（１２）によって作用し得るいくつかの歯を有するコーム（１３）と、前記回転ディスク（５）を回転させるための駆動装置（６、１４ａ、１５）と、前記ディスク（５）の一定の回転を維持するよう設計された調節システム（７、８、９、１０）とを備え、
前記モジュールが、いくつかののこぎり状回転ディスク（５）が周囲に配置された、中央のアーバ（３）を有する回転ラック（１）も備え、
前記駆動装置（６、１４ａ、１５）が、一方では前記のこぎり状ディスク（５）を回転させるよう、かつ他方では前記ディスク（５）を前記コーム（１３）の上に次々に位置決めするように前記回転ラック（１）の回転を起動するよう動作でき、
前記調節システム（７、８、９、１０）が、前記ディスク（５）の一定の回転を維持することを特徴とする音楽モジュール。
【請求項２】
前記調整システム（７、８、９、１０）が、慣性はずみ車（１０）と共に動く歯車列（７、８、９）から構成されることを特徴とする請求項１に記載の音楽モジュール。
【請求項３】
それぞれののこぎり状回転ディスク（５）が、その円周全体に渡って歯部を備えることを特徴とする請求項１又は２に記載の音楽モジュール。
【請求項４】
それぞれののこぎり状ディスク（５）が、前記回転ラック（１）の前記中央のアーバ（３）上の動きばめであるピニオン（６）に噛み合うよう設計され、
前記ピニオン（６）が、前記バレル（１１）及び前記歯車列（７、８、９）の第１の機構（７）に係合されることを特徴とする請求項２及び３に記載の音楽モジュール。
【請求項５】
回転部材（１４）が、前記駆動装置（６、１４ａ、１５）が動作すると直ぐに前記回転ラック（１）が回転できるようにするために、前記第１の機構（７）に固定されることを特徴とする請求項４に記載の音楽モジュール。
【請求項６】
４つののこぎり状ディスク（５）が、前記回転ラック（１）の前記中央のアーバ（３）に固定された４つの各アーム（２）上に取り付けられ、
前記アーム（２）が、互いに対して９０°に放射状に配置され、
ゼネバ機構（１５）が、前記ゼネバ機構（１５）が前記回転部材（１４）によって駆動された場合に前記回転ラックを約９０°回転させるよう、前記中央のアーバ（３）上に取り付けられることを特徴とする請求項５に記載の音楽モジュール。
【請求項７】
前記回転部材（１４）が、前記回転ラック（１）の回転を起動するよう設計された歯部（１４ａ）を備えることを特徴とする請求項５又は６に記載の音楽モジュール。
【請求項８】
前記第１の機構（７）のピッチ円が、前記のこぎり状ディスク（５）のピッチ円とほぼ同じであり、したがって、前記コーム（１３）の上に位置決めされた前記のこぎり状ディスク（５）が完全に１回転した後にのみ、前記歯部（１４ａ）が前記回転ラック（１）を回転させることを特徴とする請求項７に記載の音楽モジュール。
【請求項９】
前記制御装置（６、１４ａ、１５）が、前記回転ラック（１）を固締するための固締レバー（１６）と、前記はずみ車（１０）を固締するための止めレバー（１７）とをさらに備え、
これらの２つのレバー（１６、１７）が、前記回転ラック（１）及び前記はずみ車（１０）を解放するために、したがって、前記歯車列（７、８、９）及び前記バレル（１１）によって直ちに駆動される前記中心のピニオン（６）を解除するために、ロッカー（２１）により動作可能であり、
前記ピニオン（６）が、前記のこぎり状ディスク（５）を同時に駆動することを特徴とする請求項４〜８のいずれか一項に記載の音楽モジュール。
【請求項１０】
それぞれののこぎり状ディスク（５）の区域（２３）には、定位置へと動く間に前記ピン（１２）が前記コームの前記歯に当たることなく、前記のこぎり状ディスク（５）を次々に前記コーム（１３）の上に位置決めできるようにするためのピン（１２）がないことを特徴とする請求項１〜９のいずれか一項に記載の音楽モジュール。
【請求項１１】
前記回転部材（１４）が、環状の溝（１８）を有し、
その溝（１８）の内壁が、前記固締レバー（１６）上の第１の止めピン（１６ａ）を通じて前記回転ラック（１）を固締するための突出部（１９）を有し、
固締レバー（１６）が、音楽ディスク（５）が再生されている間、前記回転ラック（１）を安定した位置に保つよう設計されたレバー（２２）を操作することができ、
前記溝（１８）の外壁が、刻み目（２０）を有し、
この中に、止めレバー（１７）上の第２の止めピン（１７ａ）が位置決めされ、
前記制御システム（１６、１７、２１）の前記ロッカー（２１）により、前記システムが操作されると、一方では、前記レバー（２２）を外すよう、したがって前記回転ラック（１）を解放するよう、前記第１のピン（１６ａ）を前記突出部（１９）から外し、他方では、前記はずみ車（１０）を解放するよう前記第２のピン（１７ａ）を前記刻み目（２０）から外すことができ、
前記歯部（１４ａ）が完全に１回転し、約３６０°／Ｎ（ここで、Ｎとは、前記回転ラック（１）によって運ばれるのこぎり状ディスク（５）の数である）の角度で前記回転ラック（１）を回転させた後、前記止めピン（１６ａ、１７ａ）が戻って、それぞれ、前記突出部（１９）と接触し、前記刻み目（２０）内に入ると直ぐに、前記音楽モジュールが停止することを特徴とする請求項９に記載の音楽モジュール。
【請求項１２】
請求項１〜１１のいずれか一項に記載の音楽モジュールを備えた時計。
【請求項１３】
前記音楽モジュールが、ロッカー（２５）に取り付けられた機構（２４）を備え、
巻き取りボタンが時計回りに回転し、前記機構（２４）が第１の巻き取りピニオン（２７）及び中間ピニオン（２８）を介して駆動されると、前記機構（２４）が、前記バレル（１１）を駆動するよう設計されることを特徴とする、前記巻き取りボタンを有する請求項１２に記載の時計。
【請求項１４】
前記巻き取りボタンが逆時計回りに回転すると、第２の巻き取りピニオン（２９）が、時計ムーブメントを巻き取るよう設計されることを特徴とする請求項１３に記載の時計。
【国際調査報告】
2008541140.tif 000006
2008541140.tif 000007
2008541140.tif 000008
2008541140.tif 000009
2008541140.tif 000010
2008541140.tif 000011